(57)【要約】【課題】  たとえば狭小地に建つ住宅においても居住空間の自由なプラニングが実質的に制限されることなく、浴槽と洗い場と洗面化粧室とを所要のレイアウトに基づいて確保することのできるサニタリールーム。【解決手段】  本発明のサニタリールームは、所定方向に沿って細長い開口形状を有する浴槽（１）と、浴槽の長手方向に沿った一端すなわち短辺部（１ａ）に隣接して設けられた洗い場（２）と、洗い場に隣接して浴槽と対向する位置に設けられた洗面化粧室（３）とを備えている。洗面化粧室は、浴槽の長手方向に沿った洗面化粧室の一端に、洗い場に隣接して設けられた洗面化粧台（３ａ）を有する。【選択図】  図１
2006183242.tif 000002
【特許請求の範囲】
【請求項１】
所定方向に沿って細長い開口形状を有する浴槽と、
前記浴槽の短辺部に隣接して設けられた洗い場と、
前記洗い場に隣接して前記浴槽と対向する位置に設けられた洗面化粧室とを備えていることを特徴とするサニタリールーム。
【請求項２】
前記洗面化粧室は、前記洗い場から間隔を隔てて設けられた洗面化粧台を有することを特徴とする請求項１に記載のサニタリールーム。
【請求項３】
前記洗面化粧室は、前記洗い場に隣接して設けられた洗面化粧台を有することを特徴とする請求項１に記載のサニタリールーム。
【発明の詳細な説明】
【技術分野】
【０００１】
本発明は、サニタリールームに関し、特にサニタリールームにおける浴槽と洗い場と洗面化粧室との基本的なレイアウトに関するものである。
【背景技術】
【０００２】
従来のサニタリールームでは、同じ長手方向に沿って細長い長方形状の浴槽と洗い場とが長辺部分同士が接するように設けられ、浴槽と洗い場とからなるユニットバスが全体として正方形に近い平面形状を有する（たとえば特許文献１を参照）。一方、洗面化粧室は、洗い場にアクセスが可能なようにユニットバスに隣接して設けられている。
【０００３】
【特許文献１】特開平５−７９２０１号公報
【発明の開示】
【発明が解決しようとする課題】
【０００４】
上述のように、従来のサニタリールームでは、浴槽と洗い場とからなるユニットバスが全体として正方形に近い平面形状を有し、洗面化粧室は洗い場にアクセスが可能なようにユニットバスに隣接して設けられている。その結果、たとえば狭小地に建つ住宅では、ユニットバスための正方形状のスペースおよび洗い場にアクセスが可能なようにユニットバスに隣接すべき洗面化粧室のスペースを確保することが難しく、ひいては居住空間の自由なプラニングが制限されることになる。
【０００５】
本発明は、前述の課題に鑑みてなされたものであり、たとえば狭小地に建つ住宅においても居住空間の自由なプラニングが実質的に制限されることなく、浴槽と洗い場と洗面化粧室とを所要のレイアウトに基づいて確保することのできるサニタリールームを提供することを目的とする。
【課題を解決するための手段】
【０００６】
前記課題を解決するために、本発明では、所定方向に沿って細長い開口形状を有する浴槽と、
前記浴槽の短辺部に隣接して設けられた洗い場と、
前記洗い場に隣接して前記浴槽と対向する位置に設けられた洗面化粧室とを備えていることを特徴とするサニタリールームを提供する。
【０００７】
本発明の好ましい態様によれば、前記洗面化粧室は、前記洗い場から間隔を隔てて設けられた洗面化粧台を有することが好ましい。あるいは、前記洗面化粧室は、前記洗い場に隣接して設けられた洗面化粧台を有することが好ましい。
【発明の効果】
【０００８】
本発明では、浴槽が細長い開口形状を有し、浴槽の長手方向に沿った一端すなわち短辺部に洗い場が隣接して設けられ、洗い場に隣接して浴槽と対向する位置に洗面化粧室が設けられている。換言すれば、浴槽と洗い場と洗面化粧室とが直線状に一列に配置され、全体として細長い長方形の平面形状を有する。
【０００９】
したがって、狭小地に建つ住宅においても、浴槽と洗い場とからなるユニットバスおよび洗面化粧室のための細長い長方形状のスペースを例えば壁に沿って確保することが容易であり、ひいては居住空間の自由なプラニングが可能になる。すなわち、本発明のサニタリールームでは、たとえば狭小地に建つ住宅においても居住空間の自由なプラニングが実質的に制限されることなく、浴槽と洗い場と洗面化粧室とを所要のレイアウトに基づいて確保することができる。
【００１０】
なお、本発明では、洗い場から間隔を隔てて洗面化粧室の一端に洗面化粧台を設けることができる。この場合、居住空間から洗面化粧室へアクセスし洗面化粧室から洗い場へアクセスすることになる。一方、洗い場に隣接して洗面化粧室の他端に洗面化粧台を設けることもできる。この場合、居住空間から洗面化粧室および洗い場へそれぞれアクセスすることになる。
【発明を実施するための最良の形態】
【００１１】
本発明の実施形態を、添付図面に基づいて説明する。図１は、本発明の実施形態にかかるサニタリールームの構成を概略的に示す平面図である。また、図２は浴槽の構成を概略的に示す図であって、（ａ）は浴槽の斜視図を、（ｂ）は浴槽の側面図を、（ｃ）は収納ボックスの断面図を示している。また、図３は、図１の線Ａ−Ａに沿ったユニットバスの側面図である。また、図４は、図１の線Ｂ−Ｂに沿ったユニットバスの側面図である。
【００１２】
図１を参照すると、本実施形態のサニタリールームは、細長い開口形状を有する浴槽１と、浴槽１の長手方向に沿った一端すなわち短辺部（浴槽１の足元側の端部１ａ）に隣接する洗い場２とからなるユニットバス（１，２）を備えている。すなわち、ユニットバス（１，２）では、長方形状の浴槽１の短辺部分に接するように洗い場２が設けられ、全体として細長い長方形の平面形状を有する。
【００１３】
また、本実施形態のサニタリールームでは、洗い場２に隣接して浴槽１と対向する位置に洗面化粧室３が設けられている。そして、浴槽１の長手方向に沿った洗面化粧室３の一端には、洗い場２に隣接するように洗面化粧台３ａが設けられている。この場合、居住空間Ｌから洗面化粧室３および洗い場２へそれぞれアクセスすることになる。こうして、本実施形態のサニタリールームでは、浴槽１と洗い場２と洗面化粧室３とが直線状に一列に配置され、全体として細長い長方形の平面形状を有する。
【００１４】
図２（ａ）を参照すると、浴槽１は長手方向に沿って例えば１８２０ｍｍの外形寸法を有し、長手方向に沿ったほぼ水平な姿勢で入浴が可能なように構成されている。この目的のため、浴槽１の内部の両側にはほぼ水平な姿勢で肘や腕を載置するための第１載置面１ｂが設けられ、浴槽１の頭側の端部１ｃにはほぼ水平な姿勢で頭を載置するための第２載置面１ｄが設けられている。そして、浴槽１の第１載置面１ｂと第２載置面１ｄとの間には、ほぼ水平な姿勢で背中を載置するための第３載置面１ｅが設けられている。
【００１５】
また、図２（ｂ）および（ｃ）を参照すると、浴槽１の洗い場２側の端部１ａには、たとえばシャンプーなどを収納するための収納ボックス４が設けられている。収納ボックス４は、図２（ｃ）に示すように、下端の回転軸線部４ａを中心として洗い場２側へ揺動可能な扉４ｂを有し、洗い場２から開閉可能に構成されている。なお、図２（ａ）および（ｂ）では、図面の明瞭化のために収納ボックス４の図示を省略している。
【００１６】
図３および図４を参照すると、浴槽１の長手方向に沿って隣接する壁Ｗに握りバー１３がほぼ鉛直方向に沿って取り付けられ、握りバー１３の所定の高さ位置に薄型のテレビセット１４が取り付けられている。テレビセット１４は、握りバー１３の長手軸線廻りに回転可能に設けられている。すなわち、テレビセット１４は、壁Ｗにほぼ平行に近接した不使用位置と、壁Ｗに対してほぼ垂直になった使用位置との間で切り換え可能に構成されている。
【００１７】
また、テレビセット１４は、握りバー１３の長手軸線とほぼ直交する軸線（図３において紙面にほぼ垂直な軸線）廻りに回転可能に設けられている。すなわち、テレビセット１４は、その使用位置において、表示画面１４ａを上向きに設定したり下向きに設定したりすることができるように構成されている。さらに、テレビセット１４を遠隔操作するためのリモコン１４ｂが、たとえばマグネットを利用して、握りバー１３の下端の近傍に着脱自在に取り付けられている。
【００１８】
また、浴室の洗い場２の壁Ｗに、全体的に矩形状の壁パネル部２３が取り付けられている。壁パネル部２３には、そのほぼ中央の高さ位置に、前方に向かって湯水を噴射するための複数（たとえば６つ）のシャワーノズル２４が設けられている。また、壁パネル部２３には、シャワーノズル２４よりも下方の高さ位置に、壁パネル部２３から前方へ突出するようにカウンター部２５が設けられている。
【００１９】
カウンター部２５は、シャワーノズル２４から前方に向かって噴射される湯水に対して壁パネル部２３にもたれ掛かった所望の姿勢を一時的に保持するのを助けるように構成されている。また、カウンター部２５の一方の側の先端部分にはシャワーノズル２４から噴射される湯水の温度を調節するための温度調節部２６が設けられ、他方の側の先端部分にはシャワーノズル２４から噴射される湯水の量を調節するための湯量調節部２７が設けられている。
【００２０】
また、壁パネル部２３にはシャワーノズル２４よりも上方の高さ位置にミラー２８が設けられ、このミラー２８は点検用の開口部（不図示）を覆うように壁パネル部２３に取り付けられている。さらに、壁パネル部２３の下端には、たとえばシャンプーなどを載置するための載置棚部材２９が着脱自在に取り付けられている。また、ミラー２８の高さ位置から浴室内に延びるシャワー配管３０ａ（図１では不図示）が、通常のシャワーヘッド３０ｂ（図１では不図示）に連結されている。
【００２１】
以上のように、本実施形態のサニタリールームでは、浴槽１が細長い開口形状を有し、浴槽１の短辺部１ａに洗い場２が隣接して設けられ、洗い場２に隣接して浴槽１と対向する位置に洗面化粧室３が設けられている。すなわち、本実施形態のサニタリールームでは、浴槽１と洗い場２と洗面化粧室３とが直線状に一列に配置され、全体として細長い長方形の平面形状を有する。
【００２２】
したがって、狭小地に建つ住宅においても、図１に示すように、浴槽１と洗い場２とからなるユニットバス（１，２）および洗面化粧室３のための細長い長方形状のスペースを壁Ｗに沿って確保することが容易であり、ひいては居住空間Ｌの自由なプラニングが可能になる。すなわち、本実施形態のサニタリールームでは、たとえば狭小地に建つ住宅においても居住空間Ｌの自由なプラニングが実質的に制限されることなく、浴槽１と洗い場２と洗面化粧室３とを所要のレイアウトに基づいて確保することができる。
【００２３】
また、本実施形態では、長方形状の浴槽１の短辺部分に接するように洗い場２が設けられた縦形式の形態を採用しているので、浴槽１の幅寸法に合わせて洗い場２の幅寸法を十分に確保し、且つ浴槽１の長さ寸法に依存することなく洗い場２の長さ寸法を所望に設定することができる。この点について、図５を参照して簡単に説明する。
【００２４】
従来のユニットバスでは、図５（ａ）に示すように、同じ長手方向に沿って細長い長方形状の浴槽５１と洗い場５２とが長辺部分同士が接するように設けられている。この従来のレイアウトでは、図５（ｂ）に示すように、たとえば浴槽５１および洗い場５２の幅寸法が共に８００ｍｍであり、長さ寸法が共に１６００ｍｍである。ここで、洗い場５２の長さ寸法は浴槽５１の長さ寸法に合わせて設定されるものであり、所要寸法よりも過度に大きくなり易い。
【００２５】
これに対し、従来のレイアウトと同じ面積を占める本実施形態のレイアウトでは、図５（ｃ）に示すように、浴槽１および洗い場２の幅寸法が共に８００ｍｍであるが、たとえば浴槽１の長さ寸法を１８２０ｍｍとし、洗い場２の長さ寸法を１３８０ｍｍとすることが可能である。すなわち、本実施形態のレイアウトでは、従来のレイアウトと同じ占有面積において、洗い場２の長さ寸法を所要寸法に抑える分だけ浴槽１の長さ寸法を大きく確保することができる。
【００２６】
また、浴槽１が長手方向に沿ったほぼ水平な姿勢で入浴可能に構成されているので、膝を実質的に曲げることなく十分にリラックスした状態で入浴を楽しむことができる。また、浴槽１の洗い場２側の端部１ａに、洗い場２から開閉可能な収納ボックス４が設けられているので、たとえばシャンプーなどを使用後に収納ボックス４に容易に収納したり収納ボックス４から随時取り出して使用したりすることができ、浴室内の美観の確保および整理整頓を図ることができる。
【００２７】
また、本実施形態では、壁Ｗに対する握りバー１３の取付け位置（浴槽１の長手方向に沿った位置）および握りバー１３に対するテレビセット１４の取付け高さ位置を適宜選択することにより、浴槽１に浸かってリラックスした姿勢の人の眼から所望の距離だけ間隔を隔てた所望の高さ位置に所望サイズのテレビセット１４を設置することができる。また、テレビ放送を見ないときには壁Ｗにほぼ平行に近接する不使用位置までテレビセット１４を回転移動させて、テレビセット１４が浴槽１における人の移動などを妨げないようにすることができる。
【００２８】
さらに、浴槽１内における姿勢などの個人差に応じてテレビセット１４の表示画面１４ａを上向きや下向きに調整することができ、ひいてはテレビ放送をさらに快適に楽しむことができる。また、浴槽１に浸かった状態でリモコン１４ｂを握りバー１３から取り外したり握りバー１３に戻したりすることが容易になり、ひいてはリモコン１４ｂの所在が不明になるのを未然に防ぐことができる。
【００２９】
また、本実施形態では、シャワーノズル２４よりも下方の高さ位置において壁パネル部２３から前方へ突出するカウンター部２５の作用により、シャワーノズル２４から噴射される湯水に対して壁パネル部２３にもたれ掛かった様々な所望の姿勢を一時的に保持することができ、ひいては様々な所望の姿勢で所望の部位にマッサージシャワーを浴びることができる。
【００３０】
また、壁パネル部２３にもたれ掛かってマッサージシャワーを浴びる姿勢を保ちつつ、温度調節部２６および湯量調節部２７を操作して湯水の温度調節および湯量調節を容易に行うことができる。また、適切な高さ位置に設けられたミラー２８を取り外すだけで、点検用の開口部を介してシャワーノズル２４の配管などの保守・点検を容易に随時行うことができる。
【００３１】
なお、上述の実施形態では、浴槽１の長手方向に沿った洗面化粧室３の一端に洗い場２に隣接するように洗面化粧台３ａを設け、居住空間Ｌから洗面化粧室３および洗い場２へそれぞれアクセスする構成を採用している。しかしながら、これに限定されることなく、たとえば図６に示すように、洗い場２から間隔を隔てて、浴槽１の長手方向に沿った洗面化粧室３の他端に洗面化粧台３ａを設ける変形例も可能である。ただし、図６の変形例では、居住空間Ｌから洗面化粧室３へアクセスし、洗面化粧室３から洗い場２へアクセスすることになる。
【図面の簡単な説明】
【００３２】
【図１】本発明の実施形態にかかるサニタリールームの構成を概略的に示す平面図である。
【図２】浴槽の構成を概略的に示す図であって、（ａ）は浴槽の斜視図を、（ｂ）は浴槽の側面図を、（ｃ）は収納ボックスの断面図を示している。
【図３】図１の線Ａ−Ａに沿ったユニットバスの側面図である。
【図４】図１の線Ｂ−Ｂに沿ったユニットバスの側面図である。
【図５】本実施形態において浴槽の長さ寸法に依存することなく洗い場の長さ寸法を所望に設定できることを説明する図である。
【図６】本実施形態の変形例にかかるサニタリールームの構成を概略的に示す平面図である。
【符号の説明】
【００３３】
１  浴槽
２  洗い場
３  洗面化粧室
４  収納ボックス
１３  握りバー
１４  テレビセット
２３  壁パネル部
２４  シャワーノズル
２５  カウンター部
２６  温度調節部
２７  湯量調節部
Ｗ  壁
Ｌ  居住空間
【図１】
2006183242.tif 000003
【図２】
2006183242.tif 000004
【図３】
2006183242.tif 000005
【図４】
2006183242.tif 000006
【図５】
2006183242.tif 000007
【図６】
2006183242.tif 000008